(57)【要約】【課題】ディスポーザー連動分岐装置▲４▼によって、通常のシンク使用時の洗剤や余分な排水と、ディスポーザーで粉砕された生ごみ排出を分岐排出し、洗剤や余分な排水を浄化処理槽への流入を防ぎ、また、メンテナンスが容易にできることを目的とする。【解決手段】切り替え手段を持つディスポーザー連動分岐装置▲４▼より排出口▲９▼に繋がる一般排水排出路▲５▼と分岐路▲６▼を備え、粉砕していないときは自動的に電磁弁式導入管▲４▼ａにより水路を一般排水排出路▲５▼側へ開いており、ディスポーザーと排出口▲９▼は一般排水排出路▲５▼によって直結されることから、通常のシンク使用時にも問題なく排水され、ディスポーザー内も衛生的に保たれる。粉砕時には電磁弁式導入管▲４▼ａにより水路を分岐路▲６▼側に開きディスポーザーと排出口▲９▼は分岐路▲６▼を経て生ごみ浄化処理機▲７▼と接続され、浄化・処理ならびに分解ろ過された水がろ過水排出口▲８▼から排水される。【選択図】　　図２
2004011403.tif 000002
【特許請求の範囲】
【請求項１】
流し台のシンクの排水口から投入された生ごみがディスポーザーで粉砕された粉砕物と水（原水）と、通常のシンク使用時の洗剤・余分な排水等（一般台所排水）を分岐排水するディスポーザー連動排水分岐装置。
【請求項２】
ディスポーザーの稼動と連動してダンパーモーターが駆動し、電磁弁式導入管が作動し、粉砕物と水（原水）を浄化処理機に分岐流入させる装置。
【請求項３】
ディスポーザーの未稼動時は、通常のシンク使用時の洗剤・余分な排水等（台所排水）はディスポーザーと排出路によって直結され下水道に導く装置。
【請求項４】
流路切り替え手段が、排出路と分岐路を分岐させる分岐装置に設けられた電磁弁式導入管であることを特徴とする装置。
【請求項５】
ディスポーザー停止後、粉砕された粉砕物と水（原水）がディスポーザーに残留しないように時間差停止装置が組み込まれていることを特徴とする装置。
【発明の詳細な説明】
【０００１】
【発明の属する技術分野】本発明は、ディスポーザーが設置された流し台でディスポーザー等からの粉砕物と水（原水）と通常のシンク使用時の洗剤・余分な排水等（台所排水）を分岐し、排水排出するシステムに関するものである。
【０００２】
【従来の技術】従来、流し台のシンクの排水口にディスポーザーを設けて、発生する生ごみをそのまま排水口に流し込んで、ディスポーザーで粉砕し、そのまま排水とともに排出でき、生ごみを処理する手間が省ける点で好ましいものであるが、排水原水が他の一般汚濁水と同じ配管で処理分解槽に排水される。
【０００３】
【発明が解決しようとする課題】
ところが、上記の従来例にあっては、粉砕された生ごみが含まれる排水は、当然のことながらＢＯＤ・ＳＳが非常に高いものである。このため、そのまま下水に排出することができないものであって、浄化槽などで処理する必要があり、このような生ごみを含む排水は、通常の排水と区別して流す必要がある。
【０００４】以上のように排水を区別して流す場合にあっても、通常の排水もディスポーザーを通過するので、この排水がディスポーザーに溜まっている生ごみと同時に排出されることがある。
【０００５】
【課題を解決するための手段】
本発明は、以上のような問題点を解決するためになされたものであり、その目的は、通常のシンク使用時の洗剤・余分な排水（台所排水）は一般排水排出路▲５▼から排出口▲９▼に直結され下水道に流すことができるとともに、ディスポーザーで粉砕された生ごみを含む排水（原水）は分岐路▲６▼から生ごみ浄化処理機▲７▼に導かれ確実に分離できる自動開閉分岐装置の提供にある。
【０００６】ディスポーザーで粉砕された粉砕物と水（原水）・通常のシンク使用時の洗剤・余分な排水等（台所排水）を分岐するディスポーザー連動排水分岐装置。
【０００７】このディスポーザー連動分岐装置▲４▼は、ディスポーザー▲３▼の稼動と連動してダンパーモーター▲４▼ｂが駆動し、電磁弁式導入管▲４▼ａが開閉し、粉砕生ごみを含む排水（原水）が生ごみ浄化処理機▲７▼に流入する。また、ディスポーザー▲３▼の未稼動時は、洗剤・余分な排水等（台所排水）は一般排水排出路▲５▼から排出口▲９▼と直結して下水道に導かれる。
【０００８】以下、本発明の実施形態を、図面を参照して説明する。
【発明の実施の形態】図１及び図２は、本発明による生ごみ処理システムの実施形態であるディスポーザー排出分岐の具体的な構成例を示す図である。
【０００９】
【実施例】このディスポーザー連動分岐装置▲４▼は、後述するような流し台▲１▼のシンク▲２▼に接続されたディスポーザー▲３▼とユーザが当該システムの操作を行うための操作スイッチと、ディスポーザー▲３▼からの排水を流すディスポーザー連動分岐装置▲４▼に接続されてディポーザー粉砕物を含む排水分岐路から生ごみ浄化処理機▲７▼に確実に分離できる自動開閉装置で構成されている。
【００１０】上記ディスポーザー連動分岐装置▲４▼は、生ごみ浄化処理機▲７▼にディスポーザー▲３▼からの排水を流す分岐路▲６▼と、一般排水排出路▲５▼と下水道排出口▲９▼が直結させる装置である。
【００１１】生ごみ浄化処理機▲７▼は、生ごみを微生物の作用で液化分解して浄化処理するものであり、ろ過水排出路▲８▼から出た排水は一般排水排出路▲５▼と合流し、排出口▲９▼と直結された下水道に放流する。
【００１２】この構成の台所生ごみ処理システムによると、シンク▲２▼の排水口▲２▼ａに投入された生ごみは、ディスポーザー▲３▼で粉砕され、搬送用の水と共に生ごみ浄化処理機▲７▼の生ごみ分解槽▲１０▼に流入する。
【００１３】ディスポーザー▲３▼にはディスポーザー連動分岐装置▲４▼を設けたので、通常のシンク使用時の洗剤・余分な排水が生ごみ浄化処理機▲７▼に入り込むことが防止され、そのろ過処理機能低下をもたらせない。また、このディスポーザー連動分岐装置▲４▼が設けられているため、生ごみ排出時以外でも、シンク▲２▼の全体を洗浄でき、ディスポーザー▲３▼の内部は、常にその搬送用水を流入させるため清潔に保たれる。
【００１４】図１・図２は共に、この発明の他の実施形態を示す。この形態の特徴は、ディスポーザー▲３▼を稼動させる操作スイッチでディスポーザー連動分岐装置▲４▼のダンパーモーター▲４▼ｂが連動作動され、電磁弁式導入管▲４▼ａが作用し、生ごみ浄化処理機▲７▼にディスポーザー▲３▼からの排水を流す分岐路▲６▼と下水道排出口▲９▼と直結された一般排水排出路▲５▼に分岐される装置である。また、生ごみ浄化処理機▲７▼でろ過処理された原水が排出路▲８▼を通って一般排水排出路▲５▼に合流し、水道排出口▲９▼へ放流される。
【００１５】
【発明の効果】以上の説明により明らかのように、本発明の排出分岐装置によれば、厨芥の粉砕生ごみ、浄化・ろ過された排水、通常のシンク使用時の洗剤・余分な排水が分岐排出されるので、排水がスムーズに行うことができるという効果を有する。
【００１６】調理する流し台で、生ごみ発生時にシンクのコーナー籠等に入れて水切りをすることなくディスポーザー▲３▼に投入し、粉砕し、自動的に生ごみが処理できる。
【図面の簡単な説明】
【図１】生ごみ処理システムの概略構成を示す断面説明図である。
【図２】ディスポーザー連動分岐装置の断面説明図である。
【符号の説明】
▲１▼　流し台
▲２▼　シンク
▲２▼ａ排水口
▲３▼　ディスポーザー
▲４▼　ディスポーザー連動分岐装置
▲４▼ａ電磁弁式導入管
▲４▼ｂダンパーモーター（時間差停止装置付）
▲５▼　一般排水排出路
▲６▼　分岐路
▲７▼　生ごみ浄化処理機
▲８▼　排出路（ろ過水）
▲９▼　排出口（下水口）
【図１】
2004011403.tif 000003
【図２】
2004011403.tif 000004